【事件の表示】
　商願２０１５−　５２４３１拒絶査定不服審判事件について、次のとおり審決する。
【結　論】
　原査定を取り消す。
　本願商標は、登録すべきものとする。
【理　由】
１　本願商標
　本願商標は、別掲１のとおり、「風月堂清白」（風の文字は「几」の中が「百」、以下「風」と記載する。）の文字を書してなり、第４３類「飲食物の提供」を指定役務として、平成２７年６月３日に登録出願されたものである。
２　引用商標
　原査定において、本願商標が商標法第４条第１項第１１号に該当するとして拒絶の理由に引用した登録商標は、以下のとおりであり、現に有効に存続しているものである。
（１）登録第３１２１７１６号商標（以下「引用商標１」という。）
商標　　　　　　　：別掲２のとおり
特例商標登録出願日：平成４年８月４日
設定登録日　　　　：平成８年２月２９日
最新更新登録日　　：平成２７年１０月２７日
指定役務　　　　　：第４２類「フランス料理の提供，茶・コ―ヒ―・ココア・清涼飲料又は果実飲料を主とする飲食物の提供」
（２）登録第３１２１７１７号商標（以下「引用商標２」という。）
商標　　　　　　　：別掲３のとおり
特例商標登録出願日：平成４年８月４日
設定登録日　　　　：平成８年２月２９日
最新更新登録日　　：平成２７年１０月２７日
指指定役務　　　　：第４２類「フランス料理の提供，茶・コ―ヒ―・ココア・清涼飲料又は果実飲料を主とする飲食物の提供」
（３）登録第３１３３４６２号商標（以下「引用商標３」という。）
商標　　　　　　　：別掲４のとおり
特例商標登録出願日：平成４年９月２９日
設定登録日　　　　：平成８年３月２９日
最新更新登録日　　：平成２７年１２月１５日
指定役務　　　　　：第４２類「サンドイッチ・スパゲッティを主とする飲食物の提供，ケ―キ及び茶・コ―ヒ―・ココア・清涼飲料又は果実飲料を主とする飲食物の提供，西洋料理を主とする飲食物の提供，宴会のための施設の提供」
（４）登録第３１３３４６３号商標（以下「引用商標４」という。）
商標　　　　　　　：別掲５のとおり
特例商標登録出願日：平成４年９月２９日
設定登録日　　　　：平成８年３月２９日
最新更新登録日　　：平成２７年１２月１５日
指定役務　　　　　：第４２類「サンドイッチ・スパゲッティを主とする飲食物の提供，ケ―キ及び茶・コ―ヒ―・ココア・清涼飲料又は果実飲料を主とする飲食物の提供，西洋料理を主とする飲食物の提供，宴会のための施設の提供」
（５）登録第３１３３４６４号商標（以下「引用商標５」という。）
商標　　　　　　　：別掲６のとおり
特例商標登録出願日：平成４年９月２９日
設定登録日　　　　：平成８年３月２９日
最新更新登録日　　：平成２７年１２月１５日
指定役務　　　　　：第４２類「サンドイッチ・スパゲッティを主とする飲食物の提供，ケ―キ及び茶・コ―ヒ―・ココア・清涼飲料又は果実飲料を主とする飲食物の提供，西洋料理を主とする飲食物の提供，宴会のための施設の提供」
（６）登録第３１３３４６５号商標（以下「引用商標６」という。）
商標　　　　　　　：別掲７のとおり
特例商標登録出願日：平成４年９月２９日
設定登録日　　　　：平成８年３月２９日
最新更新登録日　　：平成２７年１２月１５日
指定役務　　　　　：第４２類「サンドイッチ・スパゲッティを主とする飲食物の提供，ケ―キ及び茶・コ―ヒ―・ココア・清涼飲料又は果実飲料を主とする飲食物の提供，西洋料理を主とする飲食物の提供，宴会のための施設の提供」
（７）登録第３１４５６２４号商標（以下「引用商標７」という。）
商標　　　　　　　：別掲８のとおり
特例商標登録出願日：平成４年９月３０日
設定登録日　　　　：平成８年４月３０日
最新更新登録日　　：平成２８年４月１９日
指定役務　　　　　：第４２類「西洋料理を主とする飲食物の提供，茶・コ―ヒ―・ココア・清涼飲料又は果実飲料を主とする飲食物の提供」
（８）登録第３１４５６２６号商標（以下「引用商標８」という。）
商標　　　　　　　：別掲９のとおり
特例商標登録出願日：平成４年９月３０日
設定登録日　　　　：平成８年４月３０日
最新更新登録日　　：平成２８年４月１９日
指定役務　　　　　：第４２類「西洋料理を主とする飲食物の提供，茶・コ―ヒ―・ココア・清涼飲料又は果実飲料を主とする飲食物の提供」
（９）登録第３１４５６２７号商標（以下「引用商標９」という。）
商標　　　　　　　：別掲１０のとおり
特例商標登録出願日：平成４年９月３０日
設定登録日　　　　：平成８年４月３０日
最新更新登録日　　：平成２８年４月１９日
指定役務　　　　　：第４２類「西洋料理を主とする飲食物の提供，茶・コ―ヒ―・ココア・清涼飲料又は果実飲料を主とする飲食物の提供」
（１０）登録第３１４５６２８号商標（以下「引用商標１０」という。）
商標　　　　　　　：別掲１１のとおり
特例商標登録出願日：平成４年９月３０日
設定登録日　　　　：平成８年４月３０日
最新更新登録日　　：平成２８年４月１９日
指定役務　　　　　：第４２類「西洋料理を主とする飲食物の提供，茶・コ―ヒ―・ココア・清涼飲料又は果実飲料を主とする飲食物の提供」
（１１）登録第３１４５６３０号商標（以下「引用商標１１」という。）
商標　　　　　　　：別掲１２のとおり
特例商標登録出願日：平成４年９月３０日
設定登録日　　　　：平成８年４月３０日
最新更新登録日　　：平成２８年４月１９日
指定役務　　　　　：第４２類「西洋料理を主とする飲食物の提供，茶・コ―ヒ―・ココア・清涼飲料又は果実飲料を主とする飲食物の提供」
（１２）登録第３１４５６３３号商標（以下「引用商標１２」という。）
商標　　　　　　　：別掲１３のとおり
特例商標登録出願日：平成４年９月３０日
設定登録日　　　　：平成８年４月３０日
最新更新登録日　　：平成２８年４月１９日
指定役務　　　　　：第４２類「茶・コ―ヒ―・ココア・清涼飲料又は果実飲料を主とする飲食物の提供」
（１３）登録第４０５３９４９号商標（以下「引用商標１３」という。）
商標　　　　　　　：別掲１４のとおり
登録出願日　　　　：平成７年５月３１日
設定登録日　　　　：平成９年９月５日
最新更新登録日　　：平成１９年５月２２日
指定役務　　　　　：第４２類「宿泊施設の提供，飲食物の提供，婚礼（結婚披露を含む。）のための施設の提供」
（引用商標１〜引用商標１３をまとめていうときは、以下、単に「引用商標」という。）
３　当審の判断
　本願商標は、別掲１のとおり、「風月堂清白」の文字を、同じ書体、同じ大きさ、同じ間隔で外観上まとまりよく表されているものであり、その構成文字の全体から生ずる「フウゲツドウセイハク」の称呼も、格別冗長でなく、無理なく一連に称呼し得るものである。
　そして、その構成中「風月堂」の文字は、辞書等に掲載のない一種の造語といえるものであり、また、「清白」の文字は、「品行がけがれなくきよらかなこと。清廉潔白。」の意味を有する語（株式会社岩波書店 広辞苑第六版）であるとしても、かかる構成においては、まとまりよく表されたその構成文字全体をもって、特定の意味合いを有しない一種の造語を表したものと認識、把握されるものというのが相当である。
　なお、本願商標の出願人は、「株式会社上野風月堂」から「大住　光治」に名義を変更しており、また、審判請求書の請求の理由において、出願人は、風月堂本店の２代目当主の子孫であり、風月堂本店の関係者である旨述べ、該語は、「２代目当主、大住喜右衛門が、江戸幕府の老中であった松平定信公から賜った大切な一語の言葉であります。」とも主張している。
　そうすると、本願商標は、その構成文字全体をもって、取引に資されるというのが相当であって、その構成文字に相応して「フウゲツドウセイハク」の一連の称呼のみを生ずるものである。
　したがって、本願商標より「フーゲツドー」の称呼をも生ずるとし、その上で、本願商標と引用商標とが称呼上類似するものとして、本願商標を商標法第４条第１項第１１号に該当するとした原査定は、妥当でなく、取消しを免れない。
　その他、本願について拒絶の理由を発見しない。
　よって、結論のとおり審決する。